(57)【要約】【課題】メタルコアの除去に使用することができ、適用範囲が広い歯科用ツールを提供する。【解決手段】歯科用ツール１０は、両端を有する棒部１４と、棒部１４の一方端に繋がり、一対の主面１６ｓ，１６ｔを有する平坦部１６と、棒部１４の他方端に繋がる把持部１２と、を備える。平坦部１６は、平坦部１６の外周縁１６ｋから後退し、かつ、平坦部１６の主面１６ｓ，１６ｔ間を貫通する凹部１８が形成され、凹部１８の両側に一対の突起部１８ｐ，１８ｑを有している。メタルコアのコアと歯の間に形成された溝に、２本の歯科用ツール１０の平坦部１６を差し込み、凹部１８の間にメタルコアのポストが配置されている状態で把持部１２を回転し、一対の突起部１８ｐ，１８ｑのうち一方を歯に押し当て、他方をメタルコアのコアに押し当てながら溝を広げて、メタルコアを歯から外すことができるように構成されている。【選択図】図１
2018175284.tif 000002
【特許請求の範囲】
【請求項１】
両端を有する棒部と、
前記棒部の一方端に繋がり、一対の主面を有する平坦部と、
前記棒部の他方端に繋がる把持部と、
を備えた歯科用ツールであって、
前記平坦部は、前記平坦部の外周縁から後退し、かつ、前記平坦部の前記主面間を貫通する凹部が形成され、前記凹部の両側に一対の突起部を有し、
メタルコアのコアと歯との間に形成された溝に、２本の前記歯科用ツールの前記平坦部を差し込み、前記凹部の間に前記メタルコアのポストが配置されている状態で前記把持部を動かし、前記一対の突起部のうち一方を前記歯に押し当て、他方を前記メタルコアの前記コアに押し当てながら前記溝を広げて、前記メタルコアを前記歯から外すことができるように構成されたことを特徴とする、歯科用ツール。
【請求項２】
前記棒部は湾曲し、かつ、前記棒部の中心線を含む仮想面の両側に、前記平坦部の前記一対の主面が配置されていることを特徴とする、請求項１に記載の歯科用ツール。
【請求項３】
前記平坦部の前記主面に垂直な方向から見ると、前記凹部の両端は、前記平坦部側に延長された前記棒部の中心線の方向の位置が同じであることを特徴とする、請求項１又は２に記載の歯科用ツール。
【請求項４】
前記平坦部の前記主面に垂直な方向から見ると、前記凹部の両端は、前記平坦部側に延長された前記棒部の中心線の方向の位置が互いに異なり、かつ、前記中心線に対して直角方向の位置が互いに異なることを特徴とする、請求項１又は２に記載の歯科用ツール。
【発明の詳細な説明】
【技術分野】
【０００１】
本発明は、歯科用ツールに関し、詳しくは、歯科補綴治療において用いられた金属鋳造支台築造体（以後、メタルコア）を除去する歯科用ツールに関する。
【背景技術】
【０００２】
歯が、う蝕などによって歯質が失われ、修復治療を行う場合、歯冠の部分に冠を被せる治療がある。土台となる歯質の多くを失った場合、歯冠歯質の部分を、金属や、樹脂などで補う必要がある。この土台を立てる処置を「支台築造」といい、支台築造は、むし歯を取り去った後の、歯の残り方によって使用する材料に違いが出てくる。しかし、その歯が再度病態を現した時には、必要により支台築造体を除去される。
【０００３】
メタルコアを除去する方法として、次のような方法が知られている。
【０００４】
（１）メタルコア自体を切削し、削り取る。
（２）メタルコアのポストのまわりの歯質を切削し、メタルコアを歯から分離する。
（３）メタルコアのコアと歯との間に、頬側からドライバーや充填器のへらのような部分を差し込み、少し回しながらこじるように動かして、メタルコアを歯から外す。
（４）鉗子のようなツールを用い、メタルコアを歯から持ち上げて外す。例えば図１１（ａ）に示すツールは、一対のレバー１Ａ，１Ｂが回動自在に結合されており、ハンドル３Ａ，３Ｂを握ると、アーム４Ａ，４Ｂが開く。アーム４Ａ，４Ｂの湾曲した先端４Ａ'，４Ｂ'に、凹部が形成されたクランプ５Ａ，５Ｂが固定されている。図１１（ｂ）に示すように、歯根Ｒと補綴物Ｔとの間にクランプ５Ａ，５Ｂを差し込み、補綴物Ｔのポストがクランプ５Ａ，５Ｂの凹部内に配置されるようにする。そして、図１１（ｃ）に示すように、ハンドル３Ａ，３Ｂを握ることによって、歯根Ｒと補綴物Ｔとの間を広げ、補綴物Ｔを持ち上げる（例えば、特許文献１参照）。
（５）ねじ機構を利用した除去器を用いて、ポストを引き抜く。例えば、図１２の分解斜視図に示された除去器は、歯根に植設された既存のポスト（合釘）をコンパス状の把持具２の先端のチャック部３で挟み込んだ状態を蝶ネジ６で固定し、把持具２の基端に設けられた上部ネジ７を回転し、二又状の抜取用突子４を介して把持具２を持ち上げることによって、ポストを抜き取る（例えば、特許文献２参照）。
【先行技術文献】
【特許文献】
【０００５】
【特許文献１】特表２００５−５３１３８１号公報
【特許文献２】実用新案登録第３００５９１０号公報
【発明の概要】
【発明が解決しようとする課題】
【０００６】
しかしながら、上記（１）〜（５）の方法は、次のように適用範囲が限られる。
【０００７】
（１）メタルコア自体を切削する方法は、メタルコアが金属やセラミックなどの切削困難な材料からなる場合には、適用が難しい。
（２）ポストのまわりの歯質を切削する方法は、歯根の脆弱化が生じやすい上、歯質が薄いと、歯根の外側部分が残るように切削することが困難である。
（３）頬側からこじる方法は、歯にダメージを与えやすく、難度が高い。
（４）鉗子のようなツールを用いる方法は、ツールの使用が可能となるメタルコアの形状や歯の部位が限られる。
（５）除去具を用いる方法は、手順が煩雑であり、チャック部３に挟み込むことができるように、メタルコアを細くする必要がある。また、除去具を設置し操作する空間が必要であり、例えば、チャック部３や抜取用突子４が、隣接する歯と干渉する場合や、奥歯には、使用できない。
【０００８】
本発明は、かかる実情に鑑み、メタルコアの除去に使用することができ、適用範囲が広い歯科用ツールを提供しようとするものである。
【課題を解決するための手段】
【０００９】
本発明は、上記課題を解決するために、以下のように構成した歯科用ツールを提供する。
【００１０】
歯科用ツールは、（ａ）両端を有する棒部と、（ｂ）前記棒部の一方端に繋がり、一対の主面を有する平坦部と、（ｃ）前記棒部の他方端に繋がる把持部と、を備える。前記平坦部は、前記平坦部の外周縁から後退し、かつ、前記平坦部の前記主面間を貫通する凹部が形成され、前記凹部の両側に一対の突起部を有する。メタルコアのコアと歯との間に形成された溝に、２本の前記歯科用ツールの前記平坦部を差し込み、前記凹部の間に前記メタルコアのポストが配置されている状態で前記把持部を動かし、前記一対の突起部のうち一方を前記歯に押し当て、他方を前記メタルコアの前記コアに押し当てながら前記溝を広げて、前記メタルコアを前記歯から外すことができるように構成されている。
【００１１】
上記構成の歯科用ツールは、適用範囲が広い。また、構成が簡素であり、また、構成が簡素であり、歯にダメージを与えることなく、メタルコアを容易に除去することができる。
【００１２】
好ましい一態様において、前記棒部は湾曲し、かつ、前記棒部の中心線を含む仮想面の両側に、前記平坦部の前記一対の主面が配置されている。
【００１３】
この場合、直線状の棒部を有する歯科用ツールの代わりに使用することができる。例えば、直線状の棒部を有する歯科用ツールでは干渉が生じ、平坦部をメタルコアのコアと歯との間の溝に差し込むことが困難な場合、棒部の湾曲によって干渉を回避し、平坦部を溝に差し込むことができる。
【００１４】
好ましい他の態様において、前記平坦部の前記主面に垂直な方向から見ると、前記凹部の両端は、前記平坦部側に延長された前記棒部の中心線の方向の位置が同じである。
【００１５】
この場合、凹部は、平坦部の棒部とは反対側の先端に形成され、凹部が対向する方向と、平坦部側に延長された棒部の中心線の方向とが一致する。そのため、平坦部をメタルコアのコアと歯との間の溝に差し込む動作を簡単に行うことができる。
【００１６】
好ましい別の態様において、前記平坦部の前記主面に垂直な方向から見ると、前記凹部の両端は、前記平坦部側に延長された前記棒部の中心線の方向の位置が互いに異なり、かつ、前記中心線に対して直角方向の位置が互いに異なる。
【００１７】
この場合、凹部が対向する方向は、平坦部側に延長した棒部の中心線の方向に対して斜めになる。そのため、メタルコアを除去する歯のまわりの空間が狭くても、平坦部をメタルコアのコアと歯との間の溝に差し込み、メタルコアを除去することができる。
【発明の効果】
【００１８】
本発明の歯科用ツールは、メタルコアの除去に使用することができ、適用範囲が広い。また、構成が簡素であり、また、構成が簡素であり、歯にダメージを与えることなく、メタルコアを容易に除去することができる。
【図面の簡単な説明】
【００１９】
【図１】図１（ａ）は歯科用ツールの平面図、図１（ｂ）は側面図、図１（ｃ）は要部拡大平面図である（実施例１）。
【図２】図２は歯科用ツールのイメージ図である（実施例１）。
【図３】図３は歯科用ツールの使用方法の説明図である（実施例１）。
【図４】図３は歯科用ツールの使用方法の説明図である（実施例１）。
【図５】図３は歯科用ツールの使用方法の説明図である（比較例１）。
【図６】図６（ａ）は歯科用ツールの平面図、図６（ｂ）は側面図、図６（ｃ）は要部拡大平面図である（実施例２）。
【図７】図７は歯科用ツールのイメージ図である（実施例２）。
【図８】図８は歯科用ツール１０の使用方法を示すイメージ図である（実施例２）。
【図９】図９は歯科用ツールの写真である（実施例３）。
【図１０】図１０は歯科用ツールの写真である（実施例４）。
【図１１】図１１は歯科用ツールの分解斜視図である（従来例１）。
【図１２】図１２は歯科用ツールの分解斜視図である（従来例２）。
【発明を実施するための形態】
【００２０】
以下、本発明の実施の形態について、図面を参照しながら説明する。
【００２１】
＜実施例１＞  実施例１の歯科用ツール１０について、図１〜図５を参照しながら説明する。図１（ａ）は、歯科用ツール１０の平面図である。図１（ｂ）は、図１（ａ）の線Ｂ−Ｂに沿って見た側面図である。図１（ｃ）は、図１（ａ）において破線で囲まれたＣ部の要部拡大平面図である。図２（ａ）は、図１（ａ）の線Ａ−Ａに沿って見た歯科用ツール１０のイメージ図である。図２（ｂ）は、歯科用ツール１０を斜め方向から見たイメージ図である。
【００２２】
図１及び図２に示すように、歯科用ツール１０は、（ａ）両端を有する棒部１４と、（ｂ）棒部１４の一方端に繋がり、一対の主面１６ｓ，１６ｔを有する平坦部１６と、（ｃ）棒部１４の他方端に繋がる把持部１２と、を備える。把持部１２と、棒部１４と、平坦部１６とは、同軸に真っすぐ繋がっている。
【００２３】
棒部１４の断面形状は円形が好ましいが、楕円、矩形などでも構わない。図１及び図２では、棒部１４の中心線が直線であるが、後述する実施例２のように、棒部１４の中心線が湾曲していても構わない。
【００２４】
平坦部１６の先端側の厚み（主面１６ｓ，１６ｔ間の寸法）は、棒部１４の最小外径よりも小さくすることが好ましい。
【００２５】
図１（ｃ）に示すように、平坦部１６は、棒部１４とは反対側の先端に凹部１８が形成され、凹部１８の両側に突起部１８ｐ，１８ｑを有している。凹部１８は、平坦部１６の先端側の外周縁１６ｋから後退し、平坦部１６の主面１６ｓ，１６ｔ間を貫通している。
【００２６】
平坦部１６の主面１６ｓ，１６ｔに垂直な方向（図１（ｃ）において紙面垂直方向）から見ると、凹部１８の両端１８ｕ，１８ｖは、平坦部１６側に延長した棒部１４ａの中心線１４ｘの方向の位置（図１（ｃ）において、左右方向の位置）が、同じである。凹部１８が対向する方向と、平坦部１６側に延長された棒部１４の中心線１４ｘの方向とが一致する。そのため、後述するメタルコアを除去するときの動作、すなわち、平坦部１６の先端側をメタルコアのコアと歯との間の溝に差し込む動作を、簡単に行うことができる。
【００２７】
把持部１２の外径は、棒部１４の最大外径よりも大きい。図１（ａ）に示すように、把持部１２の棒部側１２ｋと、棒部１４の把持部側１４ｋとは、外径が緩やかに変化するように、円錐状に形成されている。
【００２８】
把持部１２は、操作するときに手で握ぎる部分であり、例えば、把持部１２の棒部側１２ｋ及び棒部１４の把持部側１４ｋを親指で押さえるように握る。把持部１２は、滑らずにしっかり握ることができるように、断面が多角形状に形成され、外周面に溝が形成されている。
【００２９】
歯科用ツール１０の各部の寸法の一例を挙げると、図１（ａ）に示す全長Ｌは１４０ｍｍ、図１（ａ）に示す棒部１４及び平坦部１６の長さＳは３５ｍｍ、図１（ｂ）に示す把持部１２の最小径Ｄは１４ｍｍ、図１（ｃ）に示す平坦部１６の先端の幅Ｗは２．５ｍｍ、凹部１８の両端１８ｕ，１８ｖの間の寸法は１．５ｍｍ、平坦部１６の先端側の厚みは１．０ｍｍである。
【００３０】
歯科用ツール１０の各部の寸法は、歯に装着されているメタルコアを取り出す操作が容易になるように、適宜に選択すればよい。歯科用ツール１０の全長Ｌは、長すぎても、短すぎても操作しにくいため、５０ｍｍ以上、かつ、３００ｍｍ以下が好ましく、１００ｍｍ以上、かつ、２００ｍｍ以下がより好ましい。把持部１２の外径は、大きすぎても、小さすぎても、握りながら回転する操作が行いにくいため、５ｍｍ以上、かつ、５０ｍｍ以下が好ましく、１０ｍｍ以上、かつ、３０ｍｍ以下がより好ましい。平坦部１６の先端の幅Ｗは、歯の幅よりも小さくする必要があるが、小さすぎても使用できないので、１ｍｍ以上、かつ、２０ｍｍ以下が好ましく、２ｍｍ以上、かつ、１０ｍｍ以下がより好ましい。平坦部１６の先端側の厚みは、大きすぎるとメタルコアのコアと歯との間の溝を形成する時間が長くなり、小さすぎると強度が不足するので、０．３ｍｍ以上、かつ、２ｍｍ以下が好ましく、０．４ｍｍ以上、かつ、１．０ｍｍ以下がより好ましい。
【００３１】
歯科用ツール１０は、部品点数が少なく、構成が簡素であり、製造が容易である。また、滅菌可能な構成することできる。
【００３２】
例えば、ステンレス鋼やチタン合金などの金属素素材を、塑性加工や切削加工など加工法によって、歯科用ツール１０の全体形状に加工してもよい。この場合、歯科用ツール１０を一部材で構成することができる。
【００３３】
歯科用ツール１０を、一体成形（インサート成形）で製造してもよい。この場合、歯科用ツール１０は２つ以上の部材で構成され、例えば、棒部１４及び平坦部１６と埋め込み部とを含む金属部材の埋め込み部が、把持部１２を形成する樹脂に埋め込まれるように、一体成形する。
【００３４】
次に、歯科用ツール１０の使用方法の一例について、図３〜図５を参照しながら説明する。図３〜図５は、歯科用ツールの使用方法の説明図である。図３は、歯の断面を概念的に示している。図４及び図５は、図３（ｂ）の線Ａ−Ａに沿って見た説明図である。
【００３５】
図３（ａ）に示すように、歯槽６０に支持されている歯５０には、メタルコア５２が装着されている。メタルコア５２は、ポスト５２ａとコア５２ｂとが一体となった部材である。ポスト５２ａは、根管５０ｘが拡張された部分に合着又は接着されている。コア５２ｂは、クラウン等の補綴物５４を保持している。例えば、治療後に根尖部５０ｙに病巣が発見され再根管治療が必要な場合、メタルコア５２を歯５０から除去する。
【００３６】
メタルコア５２を歯５０から除去とき、まず、補綴物５４をメタルコア５２から除去し、メタルコア５２を露出させる。
【００３７】
次いで、図３（ｂ）に示すように、メタルコア５２のコア５２ｂと歯５０との界面に沿ってバーで切削し、メタルコア５２のポスト５２ａの周りに、歯科用ツール１０の平坦部１６の先端側を差し込むための溝５６を形成する。溝５６の幅は、歯科用ツール１０の平坦部１６の先端側の厚みよりも若干大きくする。
【００３８】
次いで、図４に示すように、２本の歯科用ツール１０の平坦部１６の先端側を、溝５６に差し込み、凹部１８が互いにまっすぐ向き合い、凹部１８の間にポスト５２ａが配置されている状態で、把持部１２を互いに逆方向に同時に回転する操作によって、例えば矢印１１ａ，１１ｂの方向に平坦部１６を回わす。これによって、凹部１８の両側の一対の突起部１８ｐ，１８ｑのうち一方１８ｐを、メタルコア５２のコア５２ｂ、すなわちメタルコア５２の側溝面５２ｓ（図３（ｂ）参照）に押し当て、他方の突起部１８ｑを、歯５０、すなわち歯側溝面５０ｓ（図３（ｂ）参照）に押し当てながら、歯５０とメタルコア５２との間の溝５６を広げて、メタルコア５２を歯５０から外す。詳しくは、他方の突起部１８ｑの角１６ａ，１６ｂを支点として平坦部１６の一方の突起１８ｐが回わるように、把持部１２を回転する。
【００３９】
外したメタルコア５２は、凹部１８の間に挟んで取り出しても、鉗子等のツールで把持して取り出しても、吸引して取り出してもよい。
【００４０】
図５は、比較例１の歯科用ツールの平坦部１７の先端側を溝５６に差し込んだ状態を示す説明図である。比較例１の歯科用ツールは、平坦部１７の先端側に凹部が形成されていない点を除き、実施例１と同じ構成である。
【００４１】
図５に示すように、比較例１の歯科用ツールの平坦部１７が矢印１１ａ，１１ｂの方向に回わると、平坦部１７の一方の角１７ａ，１７ｂ又はその近傍が歯５０に押し当てられる位置は、実施例１に比べ、歯５０の外表面５０ａに近くなる。歯５０の外表面５０ａに近い部分は強度が弱いため、平坦部１７の一方の角１７ａ，１７ｂ又はその近傍が押し当てられると、ダメージを受けるおそれがある。
【００４２】
これに対し、図４に示すように平坦部１６に凹部１８が形成された実施例１の歯科用ツール１０は、比較例１の歯科用ツールに比べ、平坦部１６の先端側を溝５６のより奥まで差し込むことができる。そのため、突起部１８ｐ，１８ｑの一方を歯に押し当てる位置として、歯５０の外表面５０ａから十分離れた強度の高い部分を選択することができる。突起部１８ｐ，１８ｑを押し当てる位置が強度の高い部分であれば、歯５０にダメージを与えることなくメタルコアを除去することができる。
【００４３】
図４に示すように、２本の歯科用ツール１０のなす角度が１８０度である場合には、２本の歯科用ツール１０を同時に互いに逆方向に回転することによって、歯５０にダメージを与えることなくメタルコアを除去することができる。
【００４４】
すなわち、ポスト５２ａの中心線方向以外の方向の力がメタルコア５２に作用すると、歯５０にダメージを与える原因となる。２本の歯科用ツール１０を同時に互いに逆方向に回転すると、ポスト５２ａの中心線方向の力と、ポスト５２ａの中心線に対して垂直方向の力とが、メタルコア５２に作用する。ポスト５２ａの中心線に対して垂直方向の力の向きは、互いに逆方向であるため相殺され、ポスト５２ａの中心線方向以外の方向の力は全く又はほとんどメタルコア５２に作用しない。したがって、歯５０にダメージを与えることなくメタルコアを除去することができる。
【００４５】
メタルコア５２を除去するとき、２本の歯科用ツール１０のなす角度が１８０度よりも小さい場合には、２本の歯科用ツール１０を同時に同じ方向に回転してもよい。例えば、それぞれの歯科用ツール１０の手前側の突起部を歯に押し当て、他方の突起部をメタルコアのコアに押し当て、手前側の突起部を支点に他方の突起部が回わすように、把持部を動かす。
【００４６】
２本の歯科用ツール１０を用いると、従来の頬側からこじる方法に比べ、弱い力でメタルコア５２を除去することができ、歯に与えるダメージを大幅に低減でき、操作も容易である。
【００４７】
歯科用ツール１０は、金属やセラミックなどの切削困難な材料からなるメタルコア５２の除去に使用することができる。歯科用ツール１０は、切削容易な材料からなるメタルコア５２の除去に使用してもよい。
【００４８】
大部分の部位の歯は、頬側からも舌側からも歯科用ツール１０の平坦部１６の先端側を到達させることができる。平坦部１６の先端側が到達可能な部位の歯は、ほとんどの場合、メタルコア５２の形状に制約されることなく、メタルコア５２を除去することができる。そのため、歯科用ツール１０は、適用範囲が広い。
【００４９】
例えば、メタルコアのコアと歯との界面が、メタルコアのポストの中心線に対して垂直ではなく、斜めに傾いている場合には、歯科用ツール１０の平坦部１６の先端側を差し込むポストの両側の溝に段差を設け、それぞれの溝をポストの中心線に対して垂直に形成すれば、メタルコアを除去することができる。
【００５０】
実施例１の歯科用ツール１０の平坦部１６の先端側を到達させることが困難な歯については、後述する実施例２又は実施例４の歯科用ツールを代わりに用いると、メタルコアを除去できる。
【００５１】
＜実施例２＞  棒部１４ａを湾曲させた実施例２の歯科用ツール１０ａについて、図６〜図８を参照しながら説する。実施例２の歯科用ツール１０ａは、実施例１の歯科用ツール１０と略同様に構成されており、実施例１の歯科用ツール１０と同じ構成部分には実施例１と同じ符号を用い、以下では相違点を中心に説明する。
【００５２】
図６（ａ）は、歯科用ツール１０ａの平面図である。図６（ｂ）は、図６（ａ）の線Ｂ−Ｂに沿って見た側面図である。図６（ｃ）は、図６（ａ）において破線で囲まれたＣ部の要部拡大平面図である。図７（ａ）は、図６（ａ）の線Ａ−Ａに沿って見た歯科用ツール１０ａのイメージ図である。図７（ｂ）は、歯科用ツール１０ａを斜め方向から見たイメージ図である。
【００５３】
図６及び図７に示すように、棒部１４ａは湾曲しており、棒部１４ａの中心線を含む仮想平面の両側に、平坦部１６の主面１６ｓ，１６ｔが存在する。平坦部１６の先端には、凹部１８が形成されている。凹部１８の両端１８ｕ，１８ｖは、平坦部１６側に延長した棒部１４ａの中心線１４ｘの方向の位置が、同じである。
【００５４】
図８は歯科用ツール１０ａの使用方法を示すイメージ図である。図８に示すように、歯科用ツール１０ａは、実施例１の歯科用ツール１０と組み合わせて用いることができる。実施例１の歯科用ツール１０を用いず、２本の歯科用ツール１０ａだけを用いても構わない。
【００５５】
歯科用ツール１０ａは、メタルコアを除去するとき、実施例１と同様に平坦部の突起部をメタルコアのコアと歯とに押し当てることができるように、把持部を動かす。
【００５６】
歯科用ツール１０ａは、実施例１の歯科用ツール１０を使用できない場合に、実施例１の歯科用ツール１０の代わりに使用することができる。例えば、直線状の棒部１４を有する実施例１の歯科用ツール１０では干渉が生じ、平坦部１６をメタルコアのコアと歯との間の溝に差し込むことが困難な場合、棒部１４ａの湾曲によって干渉を回避し、平坦部１６を溝に差し込むことができる。
【００５７】
歯科用ツール１０ａは、実施例１の歯科用ツール１０を使用できる場合に、実施例１の歯科用ツール１０の代わりに使用することができる。
【００５８】
＜実施例３＞  図９は、実施例３の歯科用ツールの写真である。図９に示すように、実施例３の歯科用ツールは、実施例１の歯科用ツール１０と略同様に構成されているが、平坦部の幅は、棒部の最小外径よりも大きい。
【００５９】
なお、実施例２の歯科用ツール１０ａについても、実施例３と同様に、平坦部１６の幅を、棒部１４ａの最小外径よりも大きくしてもよい。
【００６０】
＜実施例４＞  図１０は、実施例４の歯科用ツールの写真である。図１０に示すように、実施例４の歯科用ツールの凹部の両側の突起部の位置がずれている。
【００６１】
すなわち、平坦部の主面に垂直な方向（図１０において紙面垂直方向）から見ると、凹部の両端は、平坦部側に延長した棒部の中心線の方向の位置（図１０において上下方向の位置）が互いに異なり、かつ、平坦部側に延長した棒部の中心線に対して直角方向の位置（図１０において左右方向の位置）が互いに異なる。
【００６２】
凹部が対向する方向は、平坦部側に延長した棒部の中心線の方向に対して斜めになる。そのため、メタルコアを除去する歯のまわりの空間が狭くても、平坦部をメタルコアのコアと歯との間の溝に差し込み、凹部の両側の突起部を歯とメタルコアのコアとの押し当て、溝を広げるように把持部を動かすことによって、メタルコアを除去することができる。
【００６３】
なお、図１０には、棒部がまっすぐな場合を例示しているが、実施例２と同様に、棒部が湾曲していてもよい。
【００６４】
＜まとめ＞  以上に説明したように、本発明の歯科用ツールは、メタルコアの除去に使用することができ、適用範囲が広い。また、構成が簡素であり、歯にダメージを与えることなく、メタルコアを容易に除去することができる。
【００６５】
なお、本発明は、上記実施の形態に限定されるものではなく、種々変更を加えて実施することが可能である。
【００６６】
例えば、把持部や棒部の断面や外周面の形状は、実施例に限定されるものではなく、適宜に構成することできる。把持部と棒部との間にテーパや段差があっても、なくても構わない。
【符号の説明】
【００６７】
１０，１０ａ  歯科用ツール
１２  把持部
１４，１４ａ  棒部
１４ｘ  中心線
１６  平坦部
１６ｋ  外周縁
１６ｓ，１６ｔ  主面
１７  平坦部
１８  凹部
１８ｐ，１８ｑ  突起部
５０  歯
５２  メタルコア
５２ａ  ポスト
５２ｂ  コア
５６  溝
【図１】
2018175284.tif 000003
【図２】
2018175284.tif 000004
【図３】
2018175284.tif 000005
【図４】
2018175284.tif 000006
【図５】
2018175284.tif 000007
【図６】
2018175284.tif 000008
【図７】
2018175284.tif 000009
【図８】
2018175284.tif 000010
【図９】
2018175284.tif 000011
【図１０】
2018175284.tif 000012
【図１１】
2018175284.tif 000013
【図１２】
2018175284.tif 000014
【手続補正書】
【提出日】平成29年10月17日(2017.10.17)
【手続補正１】
【補正対象書類名】特許請求の範囲
【補正対象項目名】全文
【補正方法】変更
【補正の内容】
【特許請求の範囲】
【請求項１】
両端を有する棒部と、
前記棒部の一方端に繋がり、前記棒部の中心線の全部を含む一つの仮想平面の両側に、互いに対向する一対の主面を有する平坦部と、
前記棒部の他方端に繋がる把持部と、
を備えた歯科用ツールであって、
前記平坦部は、前記平坦部の外周縁から後退し、かつ、前記平坦部の前記主面間を貫通する凹部が形成され、前記凹部を挟んで両側に、前記凹部の底から前記凹部の端に向かって突出している一対の突起部を有し、
メタルコアのコアと歯との間に形成された溝に、２本の前記歯科用ツールの前記平坦部を差し込み、前記凹部の間に前記メタルコアのポストが配置されている状態で前記把持部を動かし、前記一対の突起部のうち一方を前記歯に押し当て、他方を前記メタルコアの前記コアに押し当てながら前記溝を広げて、前記メタルコアを前記歯から外すことができるように構成されたことを特徴とする、２本で使用することもできる１本の歯科用ツール。
【請求項２】
前記棒部は、前記棒部の前記中心線の全部が前記仮想平面に含まれるように湾曲し、前記仮想平面の両側に、前記平坦部の前記一対の主面が配置されていることを特徴とする、請求項１に記載の２本で使用することもできる１本の歯科用ツール。
【請求項３】
前記凹部の前記端から、前記平坦部側に延長された前記棒部の前記中心線にそれぞれ下した垂線の足の位置が同じであることを特徴とする、請求項１又は２に記載の２本で使用することもできる１本の歯科用ツール。
【請求項４】
前記凹部の前記端から、前記平坦部側に延長された前記棒部の前記中心線にそれぞれ下した垂線の足の位置が互いに異なることを特徴とする、請求項１又は２に記載の２本で使用することもできる１本の歯科用ツール。
【手続補正２】
【補正対象書類名】明細書
【補正対象項目名】０００９
【補正方法】変更
【補正の内容】
【０００９】
本発明は、上記課題を解決するために、以下のように構成した２本で使用することもできる１本の歯科用ツールを提供する。
【手続補正３】
【補正対象書類名】明細書
【補正対象項目名】００１０
【補正方法】変更
【補正の内容】
【００１０】
歯科用ツールは、（ａ）両端を有する棒部と、（ｂ）前記棒部の一方端に繋がり、前記棒部の中心線の全部を含む一つの仮想平面の両側に、互いに対向する一対の主面を有する平坦部と、（ｃ）前記棒部の他方端に繋がる把持部と、を備える。前記平坦部は、前記平坦部の外周縁から後退し、かつ、前記平坦部の前記主面間を貫通する凹部が形成され、前記凹部を挟んで両側に、前記凹部の底から前記凹部の端に向かって突出している一対の突起部を有する。メタルコアのコアと歯との間に形成された溝に、２本の前記歯科用ツールの前記平坦部を差し込み、前記凹部の間に前記メタルコアのポストが配置されている状態で前記把持部を動かし、前記一対の突起部のうち一方を前記歯に押し当て、他方を前記メタルコアの前記コアに押し当てながら前記溝を広げて、前記メタルコアを前記歯から外すことができるように構成されている。
【手続補正４】
【補正対象書類名】明細書
【補正対象項目名】００１２
【補正方法】変更
【補正の内容】
【００１２】
好ましい一態様において、前記棒部は、前記棒部の前記中心線の全部が前記仮想平面に含まれるように湾曲し、前記仮想平面の両側に、前記平坦部の前記一対の主面が配置されている。
【手続補正５】
【補正対象書類名】明細書
【補正対象項目名】００１４
【補正方法】変更
【補正の内容】
【００１４】
好ましい他の態様において、前記凹部の前記端から、前記平坦部側に延長された前記棒部の前記中心線にそれぞれ下した垂線の足の位置が同じである。
【手続補正６】
【補正対象書類名】明細書
【補正対象項目名】００１６
【補正方法】変更
【補正の内容】
【００１６】
好ましい別の態様において、前記凹部の前記端から、前記平坦部側に延長された前記棒部の前記中心線にそれぞれ下した垂線の足の位置が互いに異なる。
【手続補正７】
【補正対象書類名】明細書
【補正対象項目名】００１８
【補正方法】変更
【補正の内容】
【００１８】
本発明の歯科用ツールは、メタルコアの除去に使用することができ、適用範囲が広い。また、構成が簡素であり、歯にダメージを与えることなく、メタルコアを容易に除去することができる。
【手続補正８】
【補正対象書類名】明細書
【補正対象項目名】００２４
【補正方法】変更
【補正の内容】
【００２４】
平坦部１６の先端側の厚み（主面１６ｓ，１６ｔ間の寸法）は、棒部１４の最小外径よりも小さくすることが好ましい。平坦部１６の一対の主面１６ｓ，１６ｔは、一つの仮想平面（すなわち、棒部１４の中心線の全部を含み、図１（ａ）において紙面と平行、図２（ａ）において紙面に垂直である一つの仮想平面）の両側に存在し、互いに対向している。
【手続補正９】
【補正対象書類名】明細書
【補正対象項目名】００２５
【補正方法】変更
【補正の内容】
【００２５】
図１（ｃ）に示すように、平坦部１６は、棒部１４とは反対側の先端に凹部１８が形成され、凹部１８を挟んで両側に突起部１８ｐ，１８ｑを有している。凹部１８は、平坦部１６の先端側の外周縁１６ｋから後退し、平坦部１６の主面１６ｓ，１６ｔ間を貫通している。一対の突起部１８ｐ，１８ｑは、それぞれ、凹部１８の底１８ｍから凹部１８の端１８ｕ，１８ｖに向かって突出している。
【手続補正１０】
【補正対象書類名】明細書
【補正対象項目名】００２６
【補正方法】変更
【補正の内容】
【００２６】
平坦部１６の主面１６ｓ，１６ｔに垂直な方向（図１（ｃ）において紙面垂直方向）から見ると、凹部１８の両端１８ｕ，１８ｖは、平坦部１６側に延長した棒部１４ａの中心線１４ｘの方向の位置（図１（ｃ）において、左右方向の位置）が、同じである。すなわち、図１（ｃ）に示すように、凹部１８の両端１８ｕ，１８ｖから、平坦部１６側に延長された棒部１４ａの中心線１４ｘにそれぞれ下した垂線の足１８ｘの位置が同じである。凹部１８が対向する方向と、平坦部１６側に延長された棒部１４の中心線１４ｘの方向とが一致する。そのため、後述するメタルコアを除去するときの動作、すなわち、平坦部１６の先端側をメタルコアのコアと歯との間の溝に差し込む動作を、簡単に行うことができる。
【手続補正１１】
【補正対象書類名】明細書
【補正対象項目名】００５３
【補正方法】変更
【補正の内容】
【００５３】
図６及び図７に示すように、棒部１４ａは湾曲しており、棒部１４ａの中心線の全部を含む仮想平面の両側に、平坦部１６の主面１６ｓ，１６ｔが存在する。平坦部１６の先端には、凹部１８が形成されている。凹部１８の両端１８ｕ，１８ｖは、平坦部１６側に延長した棒部１４ａの中心線１４ｘの方向の位置が、同じである。すなわち、図６（ｃ）に示すように、凹部１８の両端１８ｕ，１８ｖから、平坦部１６側に延長された棒部１４ａの中心線１４ｘにそれぞれ下した垂線の足１８ｘの位置が同じである。
【手続補正１２】
【補正対象書類名】明細書
【補正対象項目名】００６１
【補正方法】変更
【補正の内容】
【００６１】
すなわち、平坦部の主面に垂直な方向（図１０において紙面垂直方向）から見ると、凹部の両端は、平坦部側に延長した棒部の中心線の方向の位置（図１０において上下方向の位置）が互いに異なり、かつ、平坦部側に延長した棒部の中心線に対して直角方向の位置（図１０において左右方向の位置）が互いに異なる。すなわち、凹部の端から、平坦部側に延長された棒部の中心線にそれぞれ下した垂線の足の位置が互いに異なる。
【手続補正１３】
【補正対象書類名】明細書
【補正対象項目名】００６７
【補正方法】変更
【補正の内容】
【００６７】
１０，１０ａ  歯科用ツール
１２  把持部
１４，１４ａ  棒部
１４ｘ  中心線
１６  平坦部
１６ｋ  外周縁
１６ｓ，１６ｔ  主面
１７  平坦部
１８  凹部
１８ｍ  底
１８ｐ，１８ｑ  突起部
１８ｘ  足
５０  歯
５２  メタルコア
５２ａ  ポスト
５２ｂ  コア
５６  溝
【手続補正１４】
【補正対象書類名】図面
【補正対象項目名】図１
【補正方法】変更
【補正の内容】
【図１】
2018175284.tif 000015
【手続補正１５】
【補正対象書類名】図面
【補正対象項目名】図６
【補正方法】変更
【補正の内容】
【図６】
2018175284.tif 000016